Podtech/llm-jp-corpus-v4-ja_patent huggingface dataset:
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
内側に軸心が所定の曲率で屈曲するとともに、断面が円形状の内側側面を形成することを含む、エルボの製造方法であって、
前記内側側面の形成は、粗形成されたエルボの内側側面を、仕上げ目標のエルボの軸心上を回転切削工具の切削部を移動させて切削することにより行われ、
前記切削工具は、前記切削部と軸部とからなり、前記切削部は前記軸部と同軸上にある回転軸の周りを回転し、
前記切削部は複数の切れ刃を有し、
前記複数の切れ刃のそれぞれは、前記仕上げ目標のエルボの内径と同じ直径の球の表面上に位置し、かつ、前記回転軸に沿って配置され、
前記切削部の前記移動は、前記球を前記回転軸の周りに回転させながら、前記球の中心を、前記粗形成されたエルボの一端から他端に向かって、前記仕上げ目標のエルボの軸心上を相対移動させて行われる、
エルボの製造方法。
【請求項２】
内側に軸心が所定の曲率で屈曲するとともに、断面が円形状の内側側面を形成することを含む、エルボの製造方法であって、
前記内側側面の形成は、粗形成されたエルボの内側側面に、仕上げ目標のエルボの軸心に沿って回転切削工具の切削部を移動させることによって形成される溝を、エルボの前記断面の周方向に連続的に複数設けることにより行われ、
前記回転切削工具は、前記切削部と軸部とからなり、前記切削部は前記軸部と同軸上にある回転軸の周りを回転し、
前記切削部は複数の切れ刃を有し、
前記複数の切れ刃のそれぞれは、最外端が前記仕上げ目標のエルボの内径よりも小さな円と同じ直径の球の表面上に位置するか、または前記内径よりも小さな円上に位置し、かつ、前記回転軸に沿って配置され、
前記切削部の前記移動は、前記切削部を前記回転軸の周りに回転させながら、前記粗形成されたエルボの一端から他端、または他端から一端に向かって、前記仕上げ目標のエルボの軸心に沿って相対移動させて行われる、
エルボの製造方法。
【請求項３】
複数の切れ刃を含む切削部と、
前記切削部から延伸する直線状の軸部と、
を有し、
前記切削部は、前記軸部と同軸上にある回転軸の周りを回転し、
前記複数の切れ刃は、所定の直径の球の表面上に位置し、かつ、前記回転軸の方向に離間して配置される、
ことを特徴とする切削工具。
【請求項４】
前記複数の切れ刃の一部は、前記切削部の前記軸部が位置する側の端部に配置される、ことを特徴とする請求項３記載の切削工具。
【請求項５】
前記軸部の直径は、前記切削部の直径の５分の１乃至５分の２である、ことを特徴とする請求項３記載の切削工具。
【請求項６】
前記切削部は、それぞれ、前記軸部から前記軸部と反対側に位置する部分に延伸するように前記切削部の表面に沿ってリッジ状に形成されるとともに、側面に前記複数の切れ刃を含む、複数のリッジ部を有する、ことを特徴とする請求項３記載の切削工具。
【請求項７】
前記切削部は、前記軸部と軸部と反対側に位置する部分を切り取られた形状を有することを特徴とする請求項３記載の切削工具。
【請求項８】
前記切削部は、更に、前記軸部と略垂直な方向に切り取られた形状を有することを特徴とする請求項７記載の切削工具。
【請求項９】
前記切削工具は、更に、
前記軸部に収容される第１のベベルギアと、
一端に前記第１のベベルギアと噛み合う第２のベベルギアを含む第１のシャフト部と、
を含み、
前記軸部と、前記第１のシャフトは所定の角度を有することを特徴とする請求項３記載の切削工具。
【請求項１０】
前記第１のシャフト部は、他端に第３のベベルギアを含み、
前記切削工具は、更に、
前記第３のベベルギアと噛み合う第４のベベルギアを含む第２のシャフト部と、を含み、
前記第１のシャフト部と、前記第２のシャフト部は、所定の角度を有することを特徴とする請求項９記載の切削工具。
【請求項１１】
前記所定の角度は、略４５°であることを特徴とする請求項９記載の切削工具。
【請求項１２】
前記複数のリッジ部のうち隣接する複数のリッジ部の切れ刃は、回転方向に対して互いにずれて配置されることを特徴とする請求項６記載の切削工具。
【請求項１３】
前記各リッジ部は、前記複数の切れ刃をそれぞれ着脱自在に格納する複数の格納部を有することを特徴とする請求項６に記載の切削工具。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
ブローコア型が固定されたブローコア固定部材及び延伸ロッドが固定された延伸ロッド固定部材を進退駆動させる二軸延伸ブロー成形装置において、
前記ブローコア固定部材がスライド可能に連結される第１のガイドシャフトと、
前記延伸ロッド固定部材に立設される第２のガイドシャフトと、
前記第１のガイドシャフトに固定され前記第２のガイドシャフトが摺動可能に挿通されるガイド孔が設けられた支持部材と、
前記ブローコア固定部材を前記延伸ロッド固定部材とは独立して進退移動させる第１の駆動手段と、
前記延伸ロッド固定部材を前記ブローコア固定部材とは独立して進退移動させる第２の駆動手段と、を備え、
前記ブローコア固定部材の両端部には側板が設けられており、
各側板には、前記第１のガイドシャフトに対してスライド可能に装着されるスライド部材が固定されており、
前記ブローコア固定部材は、前記側板及び前記スライド部材を介して前記第１のガイドシャフトにスライド可能に連結されている
ことを特徴とする二軸延伸ブロー成形装置。
【請求項２】
請求項１に記載の二軸延伸ブロー成形装置において、
各側板の上端部は、前記ブローコア固定部材に対して平行に配置された連結板により連結されている
ことを特徴とする二軸延伸ブロー成形装置。
【請求項３】
請求項１又は２に記載の二軸延伸ブロー成形装置において、
前記第２の駆動手段が、サーボモータと、前記サーボモータの回転により軸方向に直線移動するスライド軸と、を含み、
前記スライド軸の一端側が、前記延伸ロッド固定部材に接続されている
ことを特徴とする二軸延伸ブロー成形装置。
【請求項４】
請求項１〜３の何れか一項に記載の二軸延伸ブロー成形装置において、
前記延伸ロッド固定部材は、後退駆動させた際に前記ブローコア固定部材に対して当接するように配置されている
ことを特徴とする二軸延伸ブロー成形装置。
【手続補正２】
【補正対象書類名】明細書
【補正対象項目名】００１３
【補正方法】変更
【補正の内容】
【００１３】
上記課題を解決する本発明の第１の態様は、ブローコア型が固定されたブローコア固定部材及び延伸ロッドが固定された延伸ロッド固定部材を進退駆動させる二軸延伸ブロー成形装置において、前記ブローコア固定部材がスライド可能に連結される第１のガイドシャフトと、前記延伸ロッド固定部材に立設される第２のガイドシャフトと、前記第１のガイドシャフトに固定され前記第２のガイドシャフトが摺動可能に挿通されるガイド孔が設けられた支持部材と、前記ブローコア固定部材を前記延伸ロッド固定部材とは独立して進退移動させる第１の駆動手段と、前記延伸ロッド固定部材を前記ブローコア固定部材とは独立して進退移動させる第２の駆動手段と、を備え、前記ブローコア固定部材の両端部には側板が設けられており、各側板には、前記第１のガイドシャフトに対してスライド可能に装着されるスライド部材が固定されており、前記ブローコア固定部材は、前記側板及び前記スライド部材を介して前記第１のガイドシャフトにスライド可能に連結されていることを特徴とする二軸延伸ブロー成形装置にある。
【手続補正３】
【補正対象書類名】明細書
【補正対象項目名】００１４
【補正方法】変更
【補正の内容】
【００１４】
本発明の第２の態様は、第１の態様の二軸延伸ブロー成形装置において、各側板の上端部は、前記ブローコア固定部材に対して平行に配置された連結板により連結されていることを特徴とする二軸延伸ブロー成形装置にある。
【手続補正４】
【補正対象書類名】明細書
【補正対象項目名】００１５
【補正方法】変更
【補正の内容】
【００１５】
本発明の第３の態様は、第１又は２の態様の二軸延伸ブロー成形装置において、前記第２の駆動手段が、サーボモータと、前記サーボモータの回転により軸方向に直線移動するスライド軸と、を含み、前記スライド軸の一端側が、前記延伸ロッド固定部材に接続されていることを特徴とする二軸延伸ブロー成形装置にある。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明の第４の態様は、第１〜３の何れか一つの態様の二軸延伸ブロー成形装置において、前記延伸ロッド固定部材は、後退駆動させた際に前記ブローコア固定部材に対して当接するように配置されていることを特徴とする二軸延伸ブロー成形装置にある。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
第１のデータフォーマットを有する第１のドキュメントと、前記第１のデータフォーマットと異なる第２のデータフォーマットを有する第２のドキュメントとを少なくとも含むプリントジョブを取得する第１の取得手段と、
前記プリントジョブに含まれる全てのページにおける印刷すべきターゲットページの位置を示すページ番号の指示を取得する第２の取得手段と、
前記第１のドキュメントにおける各ページのページ番号と前記第２のドキュメントにおける各ページのページ番号とのうち少なくともいずれか、及び、前記第２の取得手段が取得した前記ページ番号に基づいて、前記ターゲットページの印刷を実行させる印刷制御手段と
を有することを特徴とする情報処理装置。
【請求項２】
前記第２の取得手段が取得する前記指示は、ユーザの指示に基づくことを特徴とする請求項１に記載の情報処理装置。
【請求項３】
前記プリントジョブは、前記プリントジョブに含まれる全てのページにおける前記ターゲットページの位置を示すページ番号を含まないことを特徴とする請求項１又は２に記載の情報処理装置。
【請求項４】
前記指示が示すページ番号から、少なくとも前記第１のドキュメントのページ数を引いた結果に基づいて、前記ターゲットページを特定する特定手段を更に有し、
前記印刷制御手段は、前記特定手段が特定した前記ターゲットページを印刷させる制御を行うことを特徴とする請求項１乃至３のいずれか１項に記載の情報処理装置。
【請求項５】
印刷を行う印刷手段を更に有し、
前記印刷制御手段は、前記印刷手段を制御して、前記ターゲットページの印刷を実行させることを特徴とする請求項１乃至４のいずれか１項に記載の情報処理装置。
【請求項６】
前記プリントジョブはＪＤＦ（Ｊｏｂ  Ｄｅｆｉｎｉｔｉｏｎ  Ｆｏｒｍａｔ）に従うプリントジョブであることを特徴とする請求項１乃至５のいずれか１項に記載の情報処理装置。
【請求項７】
第１のデータフォーマットを有する第１のドキュメントと、前記第１のデータフォーマットと異なる第２のデータフォーマットを有する第２のドキュメントとを少なくとも含むプリントジョブを取得する第１の取得工程と、
前記プリントジョブに含まれる全てのページにおける印刷すべきターゲットページの位置を示すページ番号の指示を取得する第２の取得工程と、
前記第１のドキュメントにおける各ページのページ番号と前記第２のドキュメントにおける各ページのページ番号とのうち少なくともいずれか、及び、前記第２の取得工程にて取得した前記ページ番号に基づいて、前記ターゲットページの印刷を実行させる印刷制御工程と
を有することを特徴とする情報処理装置の制御方法。
【請求項８】
コンピュータを、
第１のデータフォーマットを有する第１のドキュメントと、前記第１のデータフォーマットと異なる第２のデータフォーマットを有する第２のドキュメントとを少なくとも含むプリントジョブを取得する第１の取得手段、
前記プリントジョブに含まれる全てのページにおける印刷すべきターゲットページの位置を示すページ番号の指示を取得する第２の取得手段、
前記第１のドキュメントにおける各ページのページ番号と前記第２のドキュメントにおける各ページのページ番号とのうち少なくともいずれか、及び、前記第２の取得手段が取得した前記ページ番号に基づいて、前記ターゲットページの印刷を実行させる印刷制御手段
として機能させるためのプログラム。
【手続補正２】
【補正対象書類名】明細書
【補正対象項目名】発明の名称
【補正方法】変更
【補正の内容】
【発明の名称】情報処理装置およびその制御方法、並びにプログラム
【手続補正３】
【補正対象書類名】明細書
【補正対象項目名】０００１
【補正方法】変更
【補正の内容】
【０００１】
本発明は、情報処理装置およびその制御方法、並びにプログラムに関する。
【手続補正４】
【補正対象書類名】明細書
【補正対象項目名】０００８
【補正方法】変更
【補正の内容】
【０００８】
上記課題を解決するために本願発明は以下の構成を有する。すなわち、情報処理装置であって、第１のデータフォーマットを有する第１のドキュメントと、前記第１のデータフォーマットと異なる第２のデータフォーマットを有する第２のドキュメントとを少なくとも含むプリントジョブを取得する第１の取得手段と、前記プリントジョブに含まれる全てのページにおける印刷すべきターゲットページの位置を示すページ番号の指示を取得する第２の取得手段と、前記第１のドキュメントにおける各ページのページ番号と前記第２のドキュメントにおける各ページのページ番号とのうち少なくともいずれか、及び、前記第２の取得手段が取得した前記ページ番号に基づいて、前記ターゲットページの印刷を実行させる印刷制御手段とを有する。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
少なくとも、基材層と、絵柄層と、第１の保護層と、前記第１の保護層の上に、前記絵柄層に同調するように部分的に設けられた第２の保護層とをこの順に有し、
前記第１の保護層が、官能基の数が２〜３で重量平均分子量が５０００以上のポリカーボネート（メタ）アクリレートを含む電離放射線硬化性樹脂組成物の硬化物により形成されており、
前記第２の保護層が、熱硬化性樹脂組成物の硬化物により形成されている、化粧シート。
【請求項２】
前記第２の保護層を形成する熱硬化性樹脂組成物の硬化物が、２液硬化型ウレタン樹脂を含む、請求項１に記載の化粧シート。
【請求項３】
前記第１の保護層を形成する電離放射線硬化性樹脂組成物が、多官能（メタ）アクリレートをさらに含む、請求項１又は２に記載の化粧シート。
【請求項４】
前記第１の保護層及び前記第２の保護層の少なくとも一方が、艶消し剤を含む、請求項１〜３のいずれかに記載の化粧シート。
【請求項５】
前記第１の保護層の表面に占める前記第２の保護層が形成されている部分の面積の合計割合が、５〜９５％の範囲にある、請求項１〜４のいずれかに記載の化粧シート。
【請求項６】
基材層の上に、絵柄層を積層する工程１と、
前記絵柄層の上に、官能基の数が２〜３で重量平均分子量が５０００以上のポリカーボネート（メタ）アクリレートを含む電離放射線硬化性樹脂組成物を塗布して、未硬化の第１の保護層を積層する工程２と、
前記未硬化の第１の保護層の上に、熱硬化性樹脂組成物を、前記絵柄層に同調するように部分的に積層した後、加熱して熱硬化性樹脂組成物の硬化物により形成された第２の保護層を積層する工程３と、
前記工程１〜工程３で得られた、前記基材層と、前記絵柄層と、前記未硬化の第１の保護層と、第２の保護層とが積層された化粧シート原反を巻き取る工程４と、
前記化粧シート原反の巻取体から前記化粧シート原反を巻き出し、前記未硬化の第１の保護層に電離放射線を照射して、前記未硬化の第１の保護層を硬化させて第１の保護層を形成する工程５と、
を順に備える、化粧シートの製造方法。
【請求項７】
少なくとも、基材層と、絵柄層と、未硬化の第１の保護層と、前記未硬化の第１の保護層の上に、前記絵柄層に同調するように部分的に設けられた第２の保護層とをこの順に有し、
前記未硬化の第１の保護層が、官能基の数が２〜３で重量平均分子量が５０００以上のポリカーボネート（メタ）アクリレートを含む電離放射線硬化性樹脂組成物の未硬化物により形成されおり、
前記第２の保護層が、熱硬化性樹脂組成物の硬化物により形成されている、化粧シート原反。
【請求項８】
基材層の上に、絵柄層を積層する工程１と、
前記絵柄層の上に、官能基の数が２〜３で重量平均分子量が５０００以上のポリカーボネート（メタ）アクリレートを含む電離放射線硬化性樹脂組成物を塗布して、未硬化の第１の保護層を積層する工程２と、
前記未硬化の第１の保護層の上に、熱硬化性樹脂組成物を、前記絵柄層に同調するように部分的に積層した後、加熱して熱硬化性樹脂組成物の硬化物により形成された第２の保護層を積層する工程３と、
前記工程１〜工程３で得られた、前記基材層と、前記絵柄層と、前記未硬化の第１の保護層と、第２の保護層とが積層された化粧シート原反を巻き取る工程４と、
を順に備える、化粧シート原反の製造方法。
【請求項９】
請求項１〜５のいずれかに記載の化粧シートを成形樹脂層上に積層してなる加飾樹脂成形品。
【請求項１０】
請求項１〜５のいずれかに記載の化粧シートを被着材に貼着してなる化粧板。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
遺伝子改変された齧歯類であって、
該齧歯類のゲノムは、ヒト化ＩＬ−１５遺伝子を形成するための、内因性齧歯類ＩＬ−１５遺伝子座において、成熟齧歯類ＩＬ−１５ポリペプチドをコードする齧歯類ＩＬ−１５エキソン配列を含む齧歯類ゲノムフラグメントの、成熟ヒトＩＬ−１５ポリペプチドをコードするヒトゲノムフラグメントでの置換を含み、
該ヒトゲノムフラグメント中のヒトＩＬ−１５エキソンは、ヒトＩＬ−１５のエキソン３、エキソン４、エキソン５およびエキソン６からなり、
該ヒト化ＩＬ−１５遺伝子は、該内因性齧歯類ＩＬ−１５遺伝子座におけるすべての内因性齧歯類ＩＬ−１５上流調節エレメントの制御下にあり、そして
該齧歯類がラットである、遺伝子改変された齧歯類。
【請求項２】
遺伝子改変された齧歯類を作製する方法であって、
内因性齧歯類ＩＬ−１５遺伝子座において、成熟齧歯類ＩＬ−１５ポリペプチドをコードする齧歯類ＩＬ−１５エキソン配列を含む齧歯類ゲノムフラグメントを、成熟ヒトＩＬ−１５ポリペプチドをコードするヒトゲノムフラグメントで置換し、ヒト化ＩＬ−１５遺伝子を形成することによって齧歯類のゲノムを改変する工程、
を包含し、
該ヒトゲノムフラグメント中のヒトＩＬ−１５エキソンは、ヒトＩＬ−１５のエキソン３、エキソン４、エキソン５およびエキソン６からなり、
該ヒト化ＩＬ−１５遺伝子は、該内因性齧歯類ＩＬ−１５遺伝子座におけるすべての内因性齧歯類ＩＬ−１５上流調節エレメントの制御下にあり、そして
該齧歯類がラットである、方法。
【請求項３】
遺伝子改変された齧歯類であって、
該齧歯類のゲノムは、ヒト化ＩＬ−１５遺伝子を含み、該ヒト化ＩＬ−１５遺伝子中のコードエキソンは、げっ歯類ＩＬ−１５のエキソン１〜２と、ヒトＩＬ−１５のエキソン３〜６からなり、
該ヒト化ＩＬ−１５遺伝子は、内因性齧歯類ＩＬ−１５遺伝子座に由来するすべての齧歯類ＩＬ−１５上流調節エレメントの制御下にあり、
該ヒト化ＩＬ−１５遺伝子は、成熟ヒトＩＬ−１５ポリペプチド配列を含むタンパク質をコードし、そして
該齧歯類がラットである、遺伝子改変された齧歯類。
【請求項４】
前記ヒト化ＩＬ−１５遺伝子が、前記齧歯類のゲノム中の内因性ＩＬ−１５遺伝子座以外の位置にある、請求項３に記載の遺伝子改変された齧歯類。
【請求項５】
遺伝子改変された齧歯類を作製する方法であって、
齧歯類のゲノムに、ヒト化ＩＬ−１５遺伝子を導入する工程、
を包含し、
該ヒト化ＩＬ−１５遺伝子のコードエキソンは、げっ歯類ＩＬ−１５のエキソン１〜２と、ヒトＩＬ−１５のエキソン３〜６からなり、
該ヒト化ＩＬ−１５遺伝子は、内因性齧歯類ＩＬ−１５遺伝子座に由来するすべての齧歯類ＩＬ−１５上流調節エレメントの制御下にあり、
該ヒト化ＩＬ−１５遺伝子は、成熟ヒトＩＬ−１５ポリペプチド配列を含むタンパク質をコードし、そして
該齧歯類がラットである、方法。
【請求項６】
前記ヒト化ＩＬ−１５遺伝子が、前記ゲノム中の内因性ＩＬ−１５遺伝子座以外の位置に組み込まれる、請求項５に記載の方法。
【請求項７】
遺伝子改変された齧歯類細胞であって、
ヒト化ＩＬ−１５遺伝子を形成するための、内因性齧歯類ＩＬ−１５遺伝子座における、成熟齧歯類ＩＬ−１５ポリペプチドをコードする齧歯類ＩＬ−１５エキソン配列を含む齧歯類ゲノムフラグメントの、成熟ヒトＩＬ−１５ポリペプチドをコードするヒトゲノムフラグメントでの置換
を含み、
該ヒトゲノムフラグメント中のヒトＩＬ−１５エキソンは、ヒトＩＬ−１５のエキソン３、エキソン４、エキソン５およびエキソン６からなり、
該ヒト化ＩＬ−１５遺伝子は、該内因性齧歯類ＩＬ−１５遺伝子座におけるすべての内因性齧歯類ＩＬ−１５上流調節エレメントの制御下にあり、そして
該齧歯類がマウスまたはラットである、遺伝子改変された齧歯類細胞。
【請求項８】
前記細胞が胚性幹（ＥＳ）細胞である、請求項７に記載の遺伝子改変された齧歯類細胞。
【請求項９】
請求項８に記載の齧歯類ＥＳ細胞を含む、齧歯類胚。
【請求項１０】
遺伝子改変された齧歯類組織であって、
該齧歯類組織のゲノムは、ヒト化ＩＬ−１５遺伝子を形成するために、内因性齧歯類ＩＬ−１５遺伝子座において、成熟齧歯類ＩＬ−１５ポリペプチドをコードする齧歯類ＩＬ−１５エキソン配列を含む齧歯類ゲノムフラグメントの、成熟ヒトＩＬ−１５ポリペプチドをコードするヒトゲノムフラグメントでの置換を含み、
該ヒトゲノムフラグメント中のヒトＩＬ−１５エキソンは、ヒトＩＬ−１５のエキソン３、エキソン４、エキソン５およびエキソン６からなり、
該ヒト化ＩＬ−１５遺伝子は、該内因性齧歯類ＩＬ−１５遺伝子座におけるすべての内因性齧歯類ＩＬ−１５上流調節エレメントの制御下にあり、そして
該齧歯類がマウスまたはラットである、遺伝子改変された齧歯類組織。
【請求項１１】
前記組織が、上皮組織、皮膚組織または筋組織から選択される、請求項１０に記載の遺伝子改変された齧歯類組織。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
目的の細胞を、基体に接着している動物細胞の混合物から単離する方法であって、
ａ）培養中、動物細胞の混合物を基体上で増殖させるステップと、
ｂ）前記目的の細胞と、前記目的の細胞とは異なる少なくとも１つの他の細胞型とを含む、接着した細胞の前記混合物を、前記目的の細胞が接着した細胞の前記混合物から選択的に剥離される範囲の壁剪断応力をもたらす剥離力にさらすステップであって、これにより、前記目的の細胞が接着した細胞の前記混合物から単離される、ステップ
とを含み、
ａ）前記目的の細胞が線維芽細胞および／もしくは部分的に分化したｈｉＰＳ細胞であり、前記剥離力が７５０〜８５０ｄｙｎｅ／ｃｍ２の範囲の壁剪断応力をもたらす、
ｂ）前記目的の細胞が部分的に再プログラム化されたｈｉＰＳ細胞であり、前記剥離力が１７０〜２３０ｄｙｎｅ／ｃｍ２の範囲の壁剪断応力をもたらす、ならびに／または、
ｃ）前記目的の細胞が成体幹細胞であり、前記剥離力が４８０〜５４０ｄｙｎｅ／ｃｍ２の範囲の壁剪断応力をもたらす、
方法。
【請求項２】
単離された前記目的の細胞を培養するステップをさらに含む、請求項１に記載の方法。
【請求項３】
単離された前記目的の細胞を、フローサイトメトリー、生化学的分析、および／または遺伝子発現分析によって評価するステップをさらに含む、請求項１に記載の方法。
【請求項４】
前記動物細胞の前記混合物に、検出可能な標識および／または親和性試薬を付着させるステップを含まない、請求項１に記載の方法。
【請求項５】
前記剥離力が、流体学的力、遠心力、および／または磁力によって印加される、請求項１に記載の方法。
【請求項６】
マイクロ流体装置中で行われる、請求項１に記載の方法。
【請求項７】
前記培養動物細胞の混合物が前記剥離力に１〜６０分間さらされる、請求項１に記載の方法。
【請求項８】
前記培養動物細胞の混合物が前記剥離力に２〜２０分間さらされる、請求項１に記載の方法。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
麦芽及びアントシアニンを含有する赤色系果汁を原料とする赤色系果汁入り発酵麦芽飲料において、該赤色系果汁がストレート果汁、濃縮果汁および濃縮透明果汁から選択され、発酵麦芽飲料中のダイアセチルの値を０．０６ｐｐｍ未満に調整したことを特徴とする、果汁の香味及び色調の付与と、オフフレーバーを抑制した芳醇で清涼感を有する赤色系果汁入り発酵麦芽飲料。
【請求項２】
発酵麦芽飲料が、ビール又は発泡酒であることを特徴とする、請求項１に記載の赤色系果汁入り発酵麦芽飲料。
【請求項３】
麦芽及びアントシアニンを含有する赤色系果汁を原料とする赤色系果汁入り発酵麦芽飲料の製造方法において、該赤色系果汁がストレート果汁、濃縮果汁および濃縮透明果汁から選択され、発酵麦芽飲料中のダイアセチルの値を０．０６ｐｐｍ未満に調整することを特徴とする、果汁の香味及び色調の付与と、オフフレーバーを抑制した芳醇で清涼感を有する赤色系果汁入り発酵麦芽飲料の製造方法。
【請求項４】
発酵麦芽飲料の発酵液に対する、果汁の添加量が固形分として、０．５〜５０ｗ／ｖ％であることを特徴とする、請求項３に記載の製造方法。
【請求項５】
麦芽及びアントシアニンを含有する赤色系果汁を原料とする赤色系果汁入り発酵麦芽飲料の製造方法において、該赤色系果汁がストレート果汁、濃縮果汁および濃縮透明果汁から選択され、発酵麦芽飲料中のダイアセチルの値を０．０６ｐｐｍ未満に調整することを特徴とする、赤色系果汁入り発酵麦芽飲料のオフフレーバーの抑制方法。
【手続補正書】
【提出日】令和1年9月11日(2019.9.11)
【手続補正１】
【補正対象書類名】特許請求の範囲
【補正対象項目名】請求項１
【補正方法】変更
【補正の内容】
【請求項１】
１磁極を複数の永久磁石（２２）で構成し、その１磁極内の複数の永久磁石の間となる極央部分に径方向に磁気的に凸となる突極部（２３）を有する回転子（１２）と、多相の固定子巻線（３６）が巻装された固定子（１３）とを備える回転電機（１０）と、
前記固定子巻線に電力を供給するインバータ（４１，４２）と、
前記インバータの通電電流を制御する制御部（５０）と、
を備え、
前記制御部は、
前記回転子の回転速度に同期した基本周波数の基本波電流と、前記基本周波数の３倍調の高調波電流とを前記固定子巻線に流し、前記高調波電流の通電により前記回転子の３次磁界に対して所定の進み位相又は遅れ位相となる固定子磁界が生じるように、前記固定子巻線の通電制御を実施するものであり、
前記回転電機を力行作動させる場合に、前記回転子の３次磁界に対して電気角で１５度〜４５度の範囲内の所定の進み位相となる固定子磁界が生じるように、前記高調波電流による前記固定子巻線の通電を制御する回転電機の駆動システム。
【手続補正２】
【補正対象書類名】特許請求の範囲
【補正対象項目名】請求項２
【補正方法】変更
【補正の内容】
【請求項２】
前記制御部は、前記回転電機により発電を行わせる場合に、前記回転子の３次磁界に対して電気角で１５度〜４５度の範囲内の所定の遅れ位相となる固定子磁界が生じるように、前記高調波電流による前記固定子巻線の通電を制御する請求項１に記載の回転電機の駆動システム。
【手続補正３】
【補正対象書類名】特許請求の範囲
【補正対象項目名】請求項３
【補正方法】変更
【補正の内容】
【請求項３】
１磁極を複数の永久磁石（２２）で構成し、その１磁極内の複数の永久磁石の間となる極央部分に径方向に磁気的に凸となる突極部（２３）を有する回転子（１２）と、多相の固定子巻線（３６）が巻装された固定子（１３）とを備える回転電機（１０）と、
前記固定子巻線に電力を供給するインバータ（４１，４２）と、
前記インバータの通電電流を制御する制御部（５０）と、
を備え、
前記制御部は、
前記回転子の回転速度に同期した基本周波数の基本波電流と、前記基本周波数の３倍調の高調波電流とを前記固定子巻線に流し、前記高調波電流の通電により前記回転子の３次磁界に対して所定の進み位相又は遅れ位相となる固定子磁界が生じるように、前記固定子巻線の通電制御を実施するものであり、
前記回転電機により発電を行わせる場合に、前記回転子の３次磁界に対して電気角で１５度〜４５度の範囲内の所定の遅れ位相となる固定子磁界が生じるように、前記高調波電流による前記固定子巻線の通電を制御する回転電機の駆動システム。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
呼吸導管であって、
長手方向軸に沿って延在する内腔および前記内腔を包囲する壁であって、前記内腔が、使用時にガス流路を画定する、内腔および壁と、
前記壁に固定されるとともに前記内腔を横切って延びる構成要素と、
を備え、
前記構成要素が、前記内腔内に配置されるとともに前記長手方向軸に沿って突出するセンサ部分を有する少なくとも１つのプリント回路基板（ＰＣＢ）と、前記センサ部分の表面上の温度センサとを含んでいる、呼吸導管。
【請求項２】
前記構成要素は分割部分を含み、前記分割部分は、前記壁に埋め込まれ、かつ直径または弦線に沿って前記内腔を横切って延びて、前記ガス流路の少なくとも一部を概ね二分割し、前記分割部分の少なくとも一部はオーバーモールド組成物によってオーバーモールドされている、請求項１に記載の呼吸導管。
【請求項３】
前記構成要素は配線部分を含み、前記配線部分は、前記分割部分に隣接し、かつ、前記内腔から離れる方向に前記壁から外側に突出し、前記配線部分は前記温度センサに電気的接続を提供するように構成されている、請求項２に記載の呼吸導管。
【請求項４】
前記センサ部分は前記分割部分から前記長手方向軸に沿って突出し、前記センサ部分は前記オーバーモールド組成物によってオーバーモールドされている、請求項２または３に記載の呼吸導管。
【請求項５】
前記構成要素は支持部分を含み、前記支持部分は、前記分割部分に隣接し、かつ、前記内腔から離れる方向であってかつ前記配線部分とは反対の方向に外向きに突出している、請求項３または４に記載の呼吸導管。
【請求項６】
前記センサ部分は前記ガス流路の上流に突出し、かつ、前記温度センサは前記センサ部の上流前縁に隣接して配置されているか、あるいは、
前記センサ部分は前記ガス流路の下流に突出し、かつ、前記温度センサは前記センサ部の下流前縁に隣接して配置されている、
請求項１から５のうちのいずれか一項に記載の呼吸導管。
【請求項７】
前記センサ部分に近接する前記オーバーモールド組成物が、前記長手方向軸に沿って延びるテーパ形状、および/または、エーロフォイル形状、翼形状、魚雷形状、または弾丸形状を有する、請求項１から６のうちのいずれか一項に記載の呼吸導管。
【請求項８】
前記オーバーモールド組成物の最も薄い部分が、前記センサ部分の前記上流前縁又は前記下流前縁の近傍にある、請求項６又は７に記載の呼吸導管。
【請求項９】
前記センサ部分と前記壁との間の垂直距離が、前記内腔の直径の少なくとも３０％である、請求項１から８のうちのいずれか一項に記載の呼吸導管。
【請求項１０】
前記温度センサは前記壁への接続部の長手方向上流に配置されている、請求項１から９のうちのいずれか一項に記載の呼吸導管。
【請求項１１】
前記温度センサがサーミスタである、請求項１から１０のうちのいずれか一項に記載の呼吸導管。
【請求項１２】
加湿ガスとともに使用するためのコネクタアセンブリであって、使用時に加湿ガスを患者および加湿器に送達するためにチューブに連結されるように構成されたコネクタアセンブリにおいて、
ハウジングと、
使用時に前記ハウジングに結合されるように構成され、かつ、前記加湿器および前記チューブに電気的に接続されるように構成された回路アセンブリと、
使用時に前記ハウジングおよび前記チューブに結合されるように構成されたシール保持器と、
前記ハウジングがシール保持器に連結されたときに耐液性かつ耐ガス性の接続が形成されるように、使用時に前記ハウジングと前記シール保持器との間に配置されるシールと、
を含むコネクタアセンブリ。
【請求項１３】
前記ハウジングの開放端部は、使用時に前記加湿器に連結されるように寸法決めされかつ構成され、前記ハウジングは、使用時に、前記シールを受けるように構成された隆起をさらに備える、請求項１２に記載のコネクタアセンブリ。
【請求項１４】
前記シールアセンブリは、前記加湿器に連結されたときに、加湿器ポートの外面に対してシールするように設計され、前記シールは、前記加湿器ポートに接続された内側Ｏリングおよび外側Ｏリングを含み、
−  前記コネクタアセンブリが前記加湿器に連結されたときに、前記内側Ｏリングが前記加湿器ポートの前記外面に対して封止するように構成されていること、
−  前記コネクタアセンブリが前記加湿器に連結されたときに、前記外側Ｏリングが前記ハウジングの内面に対して封止するように構成されていること、
のうちの少なくとも一方の構成を有する、請求項１２または１３に記載のコネクタアセンブリ。
【請求項１５】
前記シールリテーナは、前記ハウジング上にクリップ止めされるように構成されている、請求項１２から１４のうちのいずれか一項に記載のコネクタアセンブリ。
【請求項１６】
前記回路アセンブリは、プリント回路基板（ＰＣＢ）および電気コネクタを含む、請求項１２から１５のうちのいずれか一項に記載のコネクタアセンブリ。
【請求項１７】
前記電気コネクタは、前記チューブの１つ以上の導電性フィラメントを受け入れるように構成された１つ以上の接続パッドを備えたストレートコネクタまたは双方向コネクタであり、前記１つ以上の導電性フィラメントは、前記１つ以上の接続パッドにはんだ付けされている、請求項１６記載のコネクタアセンブリ。
【請求項１８】
前記シールリテーナは突出部分を含み、前記突出部分は、前記ＰＣＢおよび前記電気コネクタを保護および支持するように前記ＰＣＢアセンブリの周りに嵌まるような大きさおよび形状を有する、請求項１６または１７に記載のコネクタアセンブリ。
【請求項１９】
前記回路アセンブリは、クリップハウジングおよび回路コネクタを含み、前記クリップハウジングは、前記チューブの１つ以上のフィラメントを受け入れかつ保持するように構成された１つ以上の導電性クリップを含み、前記１つ以上の導電性クリップは、１つ以上の電気リードを介して前記回路コネクタに接続される、請求項１２から１５のうちのいずれか一項に記載のコネクタアセンブリ。
【請求項２０】
前記１つ以上の導電性クリップは、
フィラメントの所定位置への挿入及び案内を容易にするように形作られたフランジ部分と、
前記フランジ部を介して挿入された後に前記フィラメントを受け入れて保持するように構成された折曲げ部分であって、止め部分を含む前記折曲げ部分と、
前記フィラメントが保持タブ部分を通過して一方向に前記止め部分内へと摺動することを可能にするように角度付けされた保持タブ部分と、
導電性であり、それによってフィラメントから前記クリップハウジングの中へと、及び／又は前記クリップハウジングを横切って、電流が伝達されることを可能にする細長い部分と、
を含む、請求項１９記載のコネクタアセンブリ。
【請求項２１】
前記回路アセンブリの一部を露出させたままにした状態で、使用時に、前記コネクタアセンブリおよび前記チューブの周りに嵌まるように構成されたクラムシェルアセンブリをさらに備える、請求項１２から２０のうちのいずれか一項に記載のコネクタアセンブリ。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
物質を送達させるために物質を送り出す投与チャンバと、
前記投与チャンバから前記物質を送達させるためのアクチュエータと、
前記投与チャンバおよび前記アクチュエータを収納するハウジングと、
前記ハウジングから突き出すとともに、前記投与チャンバと流体連通する、プローブ、カニューレ、または針と、
前記投与チャンバから前記プローブ、カニューレ、または針への前記物質の送達量を感知するように作動するセンサとを備える、物質送達装置。
【請求項２】
前記センサが、前記投与チャンバ、前記プローブ、前記カニューレ、または前記針における前記物質の詰まりまたは漏れを検出するように作動する、請求項１に記載の物質送達装置。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
複数の入球口と、それら複数の入球口の少なくとも一つへ向けて遊技球を案内可能に構成される案内部と、前記複数の入球口のうちの所定の入球口に入球されず流下した遊技球を遊技領域から排出するアウト口と、を備えた遊技機において、
前記複数の入球口のうちの第１の入球口は、前記遊技領域の下縁との間に遊技球の通過を不能とする位置まで前記遊技領域の下縁に近接して又は前記遊技領域の下縁に当接して配設され、
前記アウト口は、前記第１の入球口に対し前記遊技領域の幅方向右側に配設される第１のアウト口と、前記第１の入球口に対し前記遊技領域の幅方向左側に配設される第２のアウト口と、を備え、
前記案内部は、板状の流下面を有し、前記第１の入球口よりも上流側である位置に配設され、流下した遊技球を前記第１の入球口側へ向けて案内可能とされ、
前記第１のアウト口が前記案内部の下流側に配設され、
前記案内部は、複数の遊技球を同時に案内可能な長さで構成され、
前記第１の入球口は、前記遊技領域の幅方向中央に対し前記遊技領域の幅方向左側の領域に配置され、前記案内部によって、前記幅方向右側を流下した遊技球が入球可能に構成されることを特徴とする遊技機。
【請求項２】
液晶表示装置と、その液晶表示装置の少なくとも右側を遊技球が流下可能とされる遊技領域と、その遊技領域に配設される複数の入球口と、それら複数の入球口の少なくとも一つへ向けて遊技球を案内可能に構成される案内部と、前記複数の入球口のうちの所定の入球口に入球されず流下した遊技球を遊技領域から排出するアウト口と、を備えた遊技機において、
前記複数の入球口のうちの第１の入球口は、前記遊技領域の下縁との間に遊技球の通過を不能とする位置まで前記遊技領域の下縁に近接して又は前記遊技領域の下縁に当接して配設され、
前記アウト口は、前記第１の入球口に対し前記遊技領域の幅方向右側に配設される第１のアウト口と、前記第１の入球口に対し前記遊技領域の幅方向左側に配設される第２のアウト口と、を備え、
前記案内部は、板状の流下面を有し、前記第１の入球口よりも上流側である位置に配設され、流下した遊技球を前記第１の入球口側へ向けて案内可能とされ、
前記第１のアウト口が前記案内部の下流側に配設され、
前記案内部は、複数の遊技球を同時に案内可能な長さで構成され、
前記第１の入球口は、前記遊技領域の幅方向中央に対し前記遊技領域の幅方向左側の領域に配置され、前記案内部によって、前記液晶表示装置に対し前記幅方向右側を流下した遊技球が入球可能に構成されることを特徴とする遊技機。
【手続補正２】
【補正対象書類名】明細書
【補正対象項目名】０００６
【補正方法】変更
【補正の内容】
【０００６】
この目的を達成するために請求項１記載の遊技機は、複数の入球口と、それら複数の入球口の少なくとも一つへ向けて遊技球を案内可能に構成される案内部と、前記複数の入球口のうちの所定の入球口に入球されず流下した遊技球を遊技領域から排出するアウト口と、を備えた遊技機であって、前記複数の入球口のうちの第１の入球口は、前記遊技領域の下縁との間に遊技球の通過を不能とする位置まで前記遊技領域の下縁に近接して又は前記遊技領域の下縁に当接して配設され、前記アウト口は、前記第１の入球口に対し前記遊技領域の幅方向右側に配設される第１のアウト口と、前記第１の入球口に対し前記遊技領域の幅方向左側に配設される第２のアウト口と、を備え、前記案内部は、板状の流下面を有し、前記第１の入球口よりも上流側である位置に配設され、流下した遊技球を前記第１の入球口側へ向けて案内可能とされ、前記第１のアウト口が前記案内部の下流側に配設され、前記案内部は、複数の遊技球を同時に案内可能な長さで構成され、前記第１の入球口は、前記遊技領域の幅方向中央に対し前記遊技領域の幅方向左側の領域に配置され、前記案内部によって、前記幅方向右側を流下した遊技球が入球可能に構成される。
【手続補正３】
【補正対象書類名】明細書
【補正対象項目名】０００７
【補正方法】変更
【補正の内容】
【０００７】
請求項２記載の遊技機は、液晶表示装置と、その液晶表示装置の少なくとも右側を遊技球が流下可能とされる遊技領域と、その遊技領域に配設される複数の入球口と、それら複数の入球口の少なくとも一つへ向けて遊技球を案内可能に構成される案内部と、前記複数の入球口のうちの所定の入球口に入球されず流下した遊技球を遊技領域から排出するアウト口と、を備えた遊技機であって、前記複数の入球口のうちの第１の入球口は、前記遊技領域の下縁との間に遊技球の通過を不能とする位置まで前記遊技領域の下縁に近接して又は前記遊技領域の下縁に当接して配設され、前記アウト口は、前記第１の入球口に対し前記遊技領域の幅方向右側に配設される第１のアウト口と、前記第１の入球口に対し前記遊技領域の幅方向左側に配設される第２のアウト口と、を備え、前記案内部は、板状の流下面を有し、前記第１の入球口よりも上流側である位置に配設され、流下した遊技球を前記第１の入球口側へ向けて案内可能とされ、前記第１のアウト口が前記案内部の下流側に配設され、前記案内部は、複数の遊技球を同時に案内可能な長さで構成され、前記第１の入球口は、前記遊技領域の幅方向中央に対し前記遊技領域の幅方向左側の領域に配置され、前記案内部によって、前記液晶表示装置に対し前記幅方向右側を流下した遊技球が入球可能に構成される。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
遊技が可能であり、有利状態に制御可能な遊技機であって、
前記有利状態として、第１有利状態と、該第１有利状態よりも遊技者にとって有利な第２有利状態と、に制御可能であり、
前記第２有利状態に制御される場合に、過度な遊技への注意を促す注意報知を実行可能な注意報知手段を備え、
前記注意報知手段は、使用する演出手段が異なる複数態様の前記注意報知を実行可能であることを特徴とする遊技機。
【手続補正２】
【補正対象書類名】明細書
【補正対象項目名】０００１
【補正方法】変更
【補正の内容】
【０００１】
本発明は、遊技を行うことが可能なパチンコ機やスロット機等の遊技機に関する。
【手続補正３】
【補正対象書類名】明細書
【補正対象項目名】００１０
【補正方法】変更
【補正の内容】
【００１０】
（手段α）手段αの遊技機は、
遊技が可能であり、有利状態（大当り遊技状態）に制御可能な遊技機（第４の実施の形態におけるパチンコ遊技機１）であって、
前記有利状態として、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）と、に制御可能であり、
前記第２有利状態に制御される場合に、過度な遊技への注意を促す注意報知を実行可能な注意報知手段（Ｓ３９２５，Ｓ３９２６，Ｓ３９３４，Ｓ３９３５に相当する処理で、注意報知用のプロセステーブルを選択する演出制御用マイクロコンピュータ１００）を備え、
前記注意報知手段は、使用する演出手段が異なる複数態様の前記注意報知を実行可能であることを特徴とする。
これによれば、遊技者が遊技にのめり込みやすい状況で適切に注意報知を行うことができる。
（手段Ａ）手段Ａの遊技機は、
遊技が可能であり、有利状態（大当り遊技状態）に制御可能な遊技機（第４の実施の形態におけるパチンコ遊技機１）であって、
前記有利状態として、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）とに制御可能であり、
前記有利状態の終了後、特別状態（確変状態）に制御可能であり、該特別状態から再び前記有利状態に制御可能であり、
前記第２有利状態に制御される場合に、過度な遊技への注意を促す注意報知を実行可能な注意報知手段（Ｓ３９２５，Ｓ３９２６，Ｓ３９３４，Ｓ３９３５に相当する処理で、注意報知用のプロセステーブルを選択する演出制御用マイクロコンピュータ１００）を備え、
前記注意報知手段は、前記特別状態から前記第２有利状態に制御される場合において、前記特別状態に制御される契機となった前記有利状態が終了した後に前記注意報知を既に実行した（突然確変以外の大当り種別（通常大当り，確変大当り，４Ｒ特定確変大当り，８Ｒ特定確変大当り，１６Ｒ特定確変大当り）の大当り遊技状態が終了した後のエンディング演出において注意報知を既に行った）場合には、当該第２有利状態が終了した後に前記注意報知を実行せず、前記特別状態に制御される契機となった前記有利状態が終了した後に前記注意報知を実行しなかった（突然確変の大当り種別の大当り遊技状態が終了した後のエンディング演出において注意報知を行わなかった）場合には、当該第２有利状態が終了した後に前記注意報知を実行可能である（突然確変以外の大当り種別（通常大当り，確変大当り，４Ｒ特定確変大当り，８Ｒ特定確変大当り，１６Ｒ特定確変大当り）の大当り遊技状態が終了した後のエンディング演出において注意報知を行う）ことを特徴とする。
これによれば、遊技者が遊技にのめり込みやすい状況で適切に注意報知を行うことができると共に、有利状態において注意報知が行われることによる遊技興趣の低下を防止することができる。
（手段Ｂ）手段Ｂの遊技機は、
遊技が可能であり、有利状態（大当り遊技状態）に制御可能な遊技機（第４の実施の形態におけるパチンコ遊技機１）であって、
前記有利状態として、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）とに制御可能であり、
前記第２有利状態に制御される場合に、過度な遊技への注意を促す注意報知を実行可能な注意報知手段（Ｓ３９２５，Ｓ３９２６，Ｓ３９３４，Ｓ３９３５に相当する処理で、注意報知用のプロセステーブルを選択する演出制御用マイクロコンピュータ１００）を備え、
前記注意報知手段は、
前記第２有利状態が終了した後に前記注意報知を実行可能であり、かつ、前記有利状態に連続して制御される場合には、前記有利状態に連続して制御されない場合とは異なる態様の注意報知を実行可能である（図５８に示される変形例において、単発の場合には注意報知画像１０００の表示のみを行い、連チャンの場合には注意報知画像１０００の表示と共に音声報知を行う）ことを特徴とする。
これによれば、遊技者が遊技にのめり込みやすい状況で適切に注意報知を行うことができると共に、有利状態に連続して制御される場合の注意報知を印象付けることができ、注意報知の効果を高めることができる。
（手段１）手段１の遊技機は、
遊技が可能であり、有利状態（大当り遊技状態）に制御可能な遊技機（第４の実施の形態におけるパチンコ遊技機１）であって、
前記有利状態として、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）とに制御可能であり、
前記第２有利状態に制御される場合に、過度な遊技への注意を促す注意報知を実行可能な注意報知手段（Ｓ３９２５，Ｓ３９２６，Ｓ３９３４，Ｓ３９３５に相当する処理で、注意報知用のプロセステーブルを選択する演出制御用マイクロコンピュータ１００）を備え、
前記注意報知手段は、前記第２有利状態が終了した後に前記注意報知を実行可能である（突然確変以外の大当り種別（通常大当り，確変大当り，４Ｒ特定確変大当り，８Ｒ特定確変大当り，１６Ｒ特定確変大当り）の大当り遊技状態が終了した後のエンディング演出において注意報知を行う）ことを特徴とする。
これによれば、遊技者が遊技にのめり込みやすい状況で適切に注意報知を行うことができると共に、有利状態において注意報知が行われることによる遊技興趣の低下を防止することができる。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
注射針を移動させるように構成された移動部と、
前記注射針の刺入対象者の身体を撮影するように構成された撮影部と、
前記撮影部により撮影された画像から前記刺入対象者の血管を認識するように構成された血管認識部と、
刺入目標決定方法に従い、前記血管認識部により認識された血管のうちの１つを、前記注射針を刺入する刺入目標血管に決定するように構成された目標決定部と、
前記目標決定部により決定された前記刺入目標血管に前記注射針の針先が刺入するように前記注射針を移動させるよう、前記移動部を制御するように構成された制御部と、
を備える自動注射針刺入装置。
【請求項２】
請求項１に記載の自動注射針刺入装置であって、
前記撮影部は、２つのカメラを備え、
前記血管認識部は、前記２つのカメラの各々により撮影された画像から前記刺入対象者の血管を認識するように構成されている、
自動注射針刺入装置。
【請求項３】
請求項２に記載の自動注射針刺入装置であって、
さらに、前記血管認識部により認識された血管の位置を三次元的に検出する位置検出部を備え、
前記目標決定部は、前記位置検出部によって位置が検出された血管のうちの１つを前記刺入目標血管に決定するように構成されている、
自動注射針刺入装置。